(57)【要約】【課題】ホストコンピュータに保存されているが、ホストコンピュータに接続された繊維機械の各機台に備え付けの表示装置では見ることができないファイルを開いて表示することを可能にする。【解決手段】情報表示装置は、複数の織機１１をホストコンピュータ２１と接続した工場内で用いられる繊維機械における情報表示装置である。情報表示装置は、織機１１にそれぞれ設けられた機台識別子と、機台識別子の読み取り装置３２と、ホストコンピュータ２１との双方向通信が可能な携帯型の表示装置（タブレット３０）とを備えている。表示装置は、読み取り装置３２により読み取られた機台識別子をホストコンピュータ２１へ送信し、ホストコンピュータ２１より機台識別子に対応するファイルを受信し、表示する。【選択図】図１
2015221951.tif 000002
【特許請求の範囲】
【請求項１】
複数の繊維機械をホストコンピュータと接続した工場内で用いられる繊維機械における情報表示装置であって、
前記繊維機械にそれぞれ設けられた機台識別子と、
前記機台識別子の読み取り装置と、
前記ホストコンピュータとの双方向通信が可能で、前記読み取り装置により読み取られた前記機台識別子を前記ホストコンピュータへ送信し、前記ホストコンピュータより前記機台識別子に対応するファイルを受信し、表示する携帯型の表示装置と
を備えていることを特徴とする繊維機械における情報表示装置。
【請求項２】
前記表示装置と前記読み取り装置とは別体に形成されている請求項１に記載の繊維機械における情報表示装置。
【請求項３】
前記読み取り装置は無線式である請求項１又は請求項２に記載の繊維機械における情報表示装置。
【請求項４】
前記読み取り装置は光学式である請求項１又は請求項２に記載の繊維機械における情報表示装置。
【請求項５】
前記表示装置はタブレットである請求項１〜請求項４のいずれか一項に記載の繊維機械における情報表示装置。
【請求項６】
複数の繊維機械をホストコンピュータと接続した工場内で用いられる繊維機械における情報表示方法であって、
前記繊維機械に機台識別子をそれぞれ設け、前記ホストコンピュータに保存された各繊維機械に関するファイルを前記ホストコンピュータとの双方向通信が可能な携帯型の表示装置で表示可能とし、前記表示装置は、前記ホストコンピュータに対して目的とする繊維機械の前記機台識別子を読み取り装置で読み取って送信し、前記ホストコンピュータより前記機台識別子に対応するファイルを受信し表示することを特徴とする繊維機械における情報表示方法。
【発明の詳細な説明】
【技術分野】
【０００１】
本発明は、繊維機械における情報表示装置及び情報表示方法に係り、詳しくは複数設けられるとともにホストコンピュータと接続された繊維機械に関する情報のうち、各繊維機械に設けられた表示装置では表示できない情報を表示する繊維機械における情報表示装置及び情報表示方法に関する。
【背景技術】
【０００２】
近年、紡績工場や織布工場においては、多数設けられた紡機あるいは織機等の繊維機械の管理がホストコンピュータにより行われている。また、一般に、繊維機械には機台１台につき１台の表示装置が搭載され、機台の運転設定条件、運転効率等、様々な情報を表示するようになっている。例えば、織機における緯入れ状況に関する統計値の大きさを、時間軸上で経時的にグラフィック表示する織機の表示装置が提案されている（例えば、特許文献１参照）。また、各種データの表示画面、データの入力部、各種スイッチ類等を備えたファンクションパネルと呼ばれる入出力装置が設けられた織機もある。
【先行技術文献】
【特許文献】
【０００３】
【特許文献１】特開２０１０−６５３３１号公報
【発明の概要】
【発明が解決しようとする課題】
【０００４】
機台メンテナンス時に、ホストコンピュータに保存されているＰＤＦ形式やＥＸＣＥＬ形式などの各種フォーマットで作成された資料（例えば作業手順書）を作業者が参照する必要がある。しかし、織機の機台毎に設けられたファンクションパネルには、主にはコスト的な問題から表示機能に制限があるため、機台メンテナンス時にそれらをファンクションパネルで見ることはできない。また、市販のタブレットでホストコンピュータに保存されたファイルを読み出そうとしても、ホストコンピュータに保存された膨大な数のファイルから作業しようとする機台に対応したファイルを見出すのは容易ではない。
【０００５】
また、織機に限らず、紡機においても機台メンテナンス時に、ホストコンピュータに保存されているＰＤＦ形式やＥＸＣＥＬ形式などの各種フォーマットで作成された資料（例えば作業手順書）を各機台に設けられた表示装置で見ることはできない。
【０００６】
本発明は、前記の問題に鑑みてなされたものであって、その目的は、ホストコンピュータに保存されているが、ホストコンピュータに接続された繊維機械の各機台に備え付けの表示装置では見ることができないファイルを開いて表示することができる繊維機械における情報表示装置及び情報表示方法を提供することにある。
【課題を解決するための手段】
【０００７】
上記課題を解決する繊維機械における情報表示装置は、複数の繊維機械をホストコンピュータと接続した工場内で用いられる繊維機械における情報表示装置である。そして、前記繊維機械にそれぞれ設けられた機台識別子と、前記機台識別子の読み取り装置と、前記ホストコンピュータとの双方向通信が可能で、前記読み取り装置により読み取られた前記機台識別子を前記ホストコンピュータへ送信し、前記ホストコンピュータより前記機台識別子に対応するファイルを受信し、表示する携帯型の表示装置とを備えている。
【０００８】
この構成によれば、作業者は、目的とする繊維機械の機台に対応するファイルを見る場合、目的とする機台の機台識別子を読み取り装置で読み取り、その機台識別子をホストコンピュータに送信する。そして、入手したいファイルをホストコンピュータに指示すると、ホストコンピュータから機台識別子に対応するファイルが送信され、表示装置に表示される。したがって、ホストコンピュータに保存されているが、ホストコンピュータに接続された繊維機械の各機台に備え付けの表示装置では見ることができないファイルを開いて表示することができる。そのため、作業者は機台メンテナンスの作業手順書、マニュアル等を必要なときに必要な場所で閲覧することができる。
【０００９】
前記表示装置と前記読み取り装置とは別体に形成されていてもよい。保全作業を行う場合、作業者は必要な作業工具を搭載した台車を、作業を行う繊維機械の近くに止めておく。そして、一般に、表示装置は読み取り装置に比べて大きいため、表示装置を台車に置いたままにしておきたいので、表示装置と読み取り装置とは一体（例えば、読み取り装置内蔵）であるよりは、読み取り装置と表示装置とは別体である方が好ましい。
【００１０】
前記読み取り装置は無線式であってもよい。光学式の場合は、機台識別子を正確に読み取るには、機台識別子と読み取り装置との距離を適正距離に調整する必要がある。しかし、無線式の場合は、読み取り装置を持った作業者が機台識別子の一定範囲に近づくだけで、正確に読み取ることができる。
【００１１】
前記読み取り装置は光学式であってもよい。読み取り装置を光学式とした場合は、機台識別子のコストを無線式に比べて低くすることができる。
前記表示装置はタブレットであってもよい。ホストコンピュータとの双方向通信が可能な携帯型の表示装置として、タブレット（板状のオールインワン・コンピュータ）やスマートフォンを使用できるが、タブレットの方がスマートフォンに比べて表示画面が大きく、表示された情報を見易い。
【００１２】
上記課題を解決する繊維機械における情報表示方法は、複数の繊維機械をホストコンピュータと接続した工場内で用いられる繊維機械における情報表示方法である。そして、前記繊維機械に機台識別子をそれぞれ設け、前記ホストコンピュータに保存された各繊維機械に関するファイルを前記ホストコンピュータとの双方向通信が可能な携帯型の表示装置で表示可能とし、前記表示装置は、前記ホストコンピュータに対して目的とする繊維機械の前記機台識別子を読み取り装置で読み取って送信し、前記ホストコンピュータより前記機台識別子に対応するファイルを受信し表示する。
【００１３】
この構成によれば、作業者は、目的とする繊維機械に関するファイルを見る場合、目的とする機台の機台識別子を読み取り装置で読み取り、その機台識別子をホストコンピュータに送信する。そして、入手したいファイルをホストコンピュータに指示すると、ホストコンピュータから機台識別子に対応するファイルが送信され、表示装置に表示される。したがって、ホストコンピュータに保存されているが、ホストコンピュータに接続された繊維機械の各機台に備え付けの表示装置では見ることができないファイルを開いて表示することができる。そのため、作業者は機台メンテナンスの作業手順書、マニュアル等を必要なときに必要な場所で閲覧することができる。
【発明の効果】
【００１４】
本発明によれば、ホストコンピュータに保存されているが、ホストコンピュータに接続された繊維機械の各機台に備え付けの表示装置では見ることができないファイルを開いて表示することができる。
【図面の簡単な説明】
【００１５】
【図１】は一実施形態の概略構成図。
【図２】作用を説明する概略図。
【図３】作用を説明するフローチャート。
【発明を実施するための形態】
【００１６】
以下、本発明を繊維機械としての織機に具体化した一実施形態を図１〜図３にしたがって説明する。
図１に示すように、複数の織機１１は、工場内においてＬＡＮアダプタ１２を有する有線ＬＡＮ（ローカルエリアネットワーク）１３を介してホストコンピュータ２１と接続されている。ホストコンピュータ２１は、工場無線ＬＡＮ用の無線ＬＡＮ親機２２にも接続されている。各織機１１にはそれぞれＩＣタグ１４が貼り付けられている。ＩＣタグ１４には、個々の織機１１の機台識別子としての機台番号が記録されている。ホストコンピュータ２１には、各織機１１の運転設定条件、運転効率、メンテナンスの作業手順書、マニュアル等の様々な資料（情報）がファイル（電子ファイル）として保存されている。
【００１７】
ホストコンピュータ２１との双方向通信が可能な携帯型の表示装置としてのタブレット３０は、無線ＬＡＮ親機２２を介してホストコンピュータ２１と双方向通信可能に構成されている。無線ＬＡＮの規格としてＷｉ−Ｆｉ（Wireless Fidelity 登録商標）が使用されている。タブレット３０には、タッチパネル式の入力機能も有する表示部３１を備えている。ホストコンピュータ２１及びタブレット３０はｈｔｔｐによりデータの送信を行う。ホストコンピュータ２１は、タブレット３０から送信された機台番号に基づき、その機台番号に対応する各種ファイルをタブレット３０へ送信する。
【００１８】
タブレット３０には、別体に形成された読み取り装置３２が、取り外し可能に取り付けられている。読み取り装置３２はＩＣタグリーダで構成されている。即ち、読み取り装置３２は無線式である。読み取り装置３２とタブレット３０は、Bluetooth （登録商標）通信で接続されている。図２に示すように、読み取り装置３２には押しボタン３３が設けられており、押しボタン３３を押すことによりＩＣタグ１４に記録された機台番号を読み取るように構成されている。押しボタン３３を押したときにのみ機台番号の読み取りを行うので、常に読み取りを行う場合に比べて読み取り装置３２の電池寿命を延ばすことができ、かつ、目的とする機台以外の機台番号を誤って読み取ってしまうことも防止できる。
【００１９】
次に前記のように構成された装置の作用を説明する。
作業者が目的とする織機１１に対応するファイルをタブレット３０の表示部３１に表示させるには、先ず図２に示すように、タブレット３０から読み取り装置３２を取り外す。そして、その状態から図３のフローチャートに示す一連の手順で、ホストコンピュータ２１からタブレット３０に表示すべきファイルが送信される。
【００２０】
先ず、ステップＳ１において、作業者は読み取り装置３２を、情報を入手すべき織機１１のＩＣタグ１４に向けた状態で押しボタン３３を押し、読み取り装置３２によって機台番号の読み取りを行う。
【００２１】
ステップＳ２において、読み取り装置３２は、ＩＣタグ１４から読み取った機台番号をタブレット上で動作する読み取りプログラムに転送する。
次にステップＳ３で、読み取りプログラムは、受け取った機台番号とタブレット３０のＩＰアドレスをホストコンピュータ２１に転送する。
【００２２】
次にステップＳ４で、ホストコンピュータ２１は、受信した機台番号及びＩＰアドレスを管理／保存する。タブレット３０は、読み取りプログラムとは別にブラウザを備えており、ステップＳ５において、タブレット３０上のブラウザは、ホストコンピュータ２１にファイルを要求する。例えば、保全作業の作業手順書を参照したい場合は、作業者は、作業手順書のファイルをタブレット３０によりホストコンピュータ２１に要求する。ホストコンピュータ２１には、作業手順書等がＰＤＦ形式やＥＸＣＥＬ形式などの各種フォーマットで作成されたファイルとして、機台番号と関連付けて保存されている。
【００２３】
次にステップＳ６において、ホストコンピュータ２１は、ファイルが要求されたタブレット３０から送信された機台番号に対応するファイルを抽出し、タブレット３０に該当するファイルを送信する。
【００２４】
即ち、作業者は、特定の繊維機械（織機１１）の機台に関するファイルを見る場合、目的とする機台のＩＣタグ１４に記録された機台番号を読み取り装置３２で読み取り、その機台番号をタブレット３０のＩＰアドレスと共にホストコンピュータ２１に送信した後、入手したいファイルをタブレット３０を用いてホストコンピュータ２１に指示する。ホストコンピュータ２１は、タブレット３０が指示した機台番号に対応するファイルをタブレット３０に送信するため、所望の繊維機械に関するファイルが表示部３１に表示される。したがって、織機１１に備え付けの表示装置では見ることのできないＰＤＦ形式やＥＸＣＥＬ形式などの各種フォーマットで作成されたファイルであっても、ホストコンピュータ２１から直接入手してタブレット３０の表示部３１に表示することができる。
【００２５】
もちろん、織機１１に備え付けの表示装置で見ることができる情報をタブレット３０の表示部３１で見てもよい。
この実施形態によれば、以下に示す効果を得ることができる。
【００２６】
（１）情報表示装置は、複数の織機１１をホストコンピュータ２１と接続した工場内で用いられる繊維機械における情報表示装置であって、織機１１にそれぞれ設けられた機台識別子（機台番号）と、機台識別子の読み取り装置３２と、ホストコンピュータ２１との双方向通信が可能で、読み取り装置３２により読み取られた機台識別子をホストコンピュータ２１へ送信し、ホストコンピュータ２１より機台識別子に対応するファイルを受信し、表示する携帯型の表示装置（タブレット３０）とを備えている。したがって、ホストコンピュータ２１に保存されているが、ホストコンピュータ２１に接続された織機１１の各機台に備え付けの表示装置では見ることができないファイルを開いて表示することができる。そのため、作業者は機台メンテナンスの作業手順書、マニュアル等を必要なときに必要な場所で閲覧することができる。
【００２７】
（２）携帯型の表示装置（タブレット３０）と読み取り装置３２とは別体に形成されている。保全作業を行う場合、作業者は必要な作業工具を搭載した台車を、作業を行う繊維機械の近くに止めておく。そして、一般に、表示装置は読み取り装置３２に比べて大きいため、表示装置を台車に置いたままにしておきたい。読み取り装置３２と表示装置とが別体であれば、作業者は、読み取り装置３２を表示装置から取り外し、表示装置は台車に置いたまま、読み取り装置３２のみを持った状態で、機台番号の読み取り作業を簡単に行うことができる。
【００２８】
（３）読み取り装置３２は無線式である。読み取り装置３２は光学式であってもよいが、光学式の場合は、機台識別子（機台番号）を正確に読み取るには、機台識別子と読み取り装置３２との距離を適正距離に調整する必要がある。しかし、無線式の場合は、読み取り装置３２を持った作業者が機台識別子が記録されたＩＣタグ１４の一定範囲に近づくだけで、機台識別子を正確に読み取ることができる。そのため、機台の自動認証が可能になり、作業者による機台番号等の入力が不要になる。
【００２９】
（４）携帯型の表示装置はタブレット３０である。ホストコンピュータ２１との双方向通信が可能な携帯型の表示装置として、タブレット３０に代えて、例えば、スマートフォンを使用することができる。しかし、タブレット３０の方がスマートフォンに比べて表示画面が大きく、表示された情報を見易い。また、安価な市販品を使用することができる。
【００３０】
（５）携帯型の表示装置（タブレット３０）は、各織機１１に関するファイルをホストコンピュータ２１から入手するため、ホストコンピュータ２１側のプログラム（ｗｅｂコンテンツ）のみの変更で表示装置の入出力画面を構成することができる。そのため、機台の仕様に依存しない表示システムが可能となり、複数の織機１１の中に、異なる仕様の織機１１（例えば、他社製品）が混在していても対応することが可能になる。また、機台増設時においても、機台識別子が記録されたＩＣタグ１４を機台に貼り付けるだけでシステムが運用可能となる。
【００３１】
実施形態は前記に限定されるものではなく、例えば、次のように具体化してもよい。
○  機台識別子は、複数の繊維機械を識別するために各繊維機械に付けられた機台番号を示す数字の組み合わせや、数字と文字との組み合わせあるいは文字のみの組み合わせを示すものを、読み取り装置で認識可能な状態で備えたものであればよい。例えば、読み取り装置３２を光学式とし、機台識別子を記録したＩＣタグ１４に代えて電波を発信しない識別子（例えば、バーコードやＱＲコード（登録商標））としてもよい。読み取り装置３２を光学式とした場合は、機台識別子のコストを無線式に比べて低くすることができる。
【００３２】
○  読み取り装置３２を磁気式としてもよい。
○  携帯型の表示装置（タブレット３０）と読み取り装置３２とを一体に構成してもよい。例えば、ＩＣタグ１４に記録された機台識別子（機台番号）を読み取る場合は、タブレット３０にＩＣタグリーダを内蔵したり、タブレット３０の表面にＩＣタグリーダを固定したりする。
【００３３】
○  携帯型の表示装置としてタブレット３０に代えてスマートフォンを使用してもよい。
○  機台識別子（機台番号）の読み取りを有線式で行ってもよい。例えば、各織機１１に機台番号の出力部を設け、読み取り装置３２にその出力部に接続可能な入力部と、入力部から配線を介して入力されるデータを保存するメモリを設ける。
【００３４】
○  繊維機械として織機１１に代えて紡機（例えば、リング精紡機）に適用してもよい。
【符号の説明】
【００３５】
１１…繊維機械としての織機、１４…機台識別子を記録したＩＣタグ、２１…ホストコンピュータ、３０…携帯型の表示装置としてのタブレット、３２…読み取り装置。
【図１】
2015221951.tif 000003
【図２】
2015221951.tif 000004
【図３】
2015221951.tif 000005